(57)【特許請求の範囲】
【請求項１】
周縁を有した表示部と、
前記周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接する上側部材及び下側部材、前記表示部の幅方向にスライド可能に前記上側部材及び下側部材に連結され前記第１及び第２側縁のそれぞれに固定された第１及び第２側部材、を含み、
前記第１側部材には、ガイド突起が形成され、
前記上側部材には、前記表示部の幅方向に延びたガイド溝が形成され、
前記ガイド溝は、当該ガイド溝が延びた方向に並んだ幅広部及び幅狭部を含み、
前記ガイド突起は、前記幅広部から挿入され、前記幅狭部からの離脱が規制され、
前記ガイド突起が前記ガイド溝の前記幅狭部内でスライドすることにより、前記第１側部材は前記上側部材に対してスライドする、表示装置。
【請求項２】
周縁を有した表示部と、
前記周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接する上側部材及び下側部材、前記表示部の幅方向にスライド可能に前記上側部材及び下側部材に連結され前記第１及び第２側縁のそれぞれに固定された第１及び第２側部材、を含み、
前記上側部材は、前記上縁に当接した弾性変形可能な支持部を２つ有し、
前記下側部材は、前記下縁に当接した弾性変形可能な支持部を２つ有し、
前記下側部材の前記支持部は、前記上側部材の前記支持部よりも変形しにくい、表示装置。
【請求項３】
周縁を有した表示部と、
前記周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接する上側部材及び下側部材、前記表示部の幅方向にスライド可能に前記上側部材及び下側部材に連結され前記第１及び第２側縁のそれぞれに固定された第１及び第２側部材、を含み、
前記第１側部材は、ネジにより前記表示部に固定され、
前記外枠は、前記ネジのネジ頭に向けて突出し前記ネジ頭に対向又は当接した突部を含む、表示装置。
【請求項４】
前記第１及び第２側部材は、前記上側部材及び下側部材に対するスライドによって変化する位置によらずに前記外枠と係合する係合部をそれぞれ有している、請求項１乃至３の何れかの表示装置。
【請求項５】
前記上側部材は、前記上縁に当接した弾性変形可能な支持部を２つ有している、請求項１又は３の表示装置。
【請求項６】
前記下側部材は、前記下縁に当接した弾性変形可能な支持部を２つ有しており、
前記下側部材の前記支持部は、前記上側部材の前記支持部よりも変形しにくい、請求項５の表示装置。
【請求項７】
前記第１側部材は、ネジにより前記表示部に固定され、
前記外枠は、前記ネジのネジ頭に向けて突出し前記ネジ頭に対向又は当接した突部を含む、請求項１又は２の表示装置。
【請求項８】
前記ネジの位置は、前記表示部の種類に応じて異なっており、
前記突部は、位置の異なる前記ネジに対応するように互いに位置及び突出量が異なる第１及び第２突部を含む、請求項７の表示装置。
【請求項９】
表示部の周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接可能な上側部材及び下側部材、前記表示部の幅方向にスライド可能に前記上側部材及び下側部材に連結可能であり前記第１及び第２側縁のそれぞれに固定可能な第１及び第２側部材、を含み、
前記第１側部材には、ガイド突起が形成され、
前記上側部材には、前記表示部の幅方向に延びたガイド溝が形成され、
前記ガイド溝は、当該ガイド溝が延びた方向に並んだ幅広部及び幅狭部を含み、
前記ガイド突起は、前記幅広部から挿入され、前記幅狭部からの離脱が規制され、
前記ガイド突起が前記ガイド溝の前記幅狭部内でスライドすることにより、前記第１側部材は前記上側部材に対してスライドする、表示部の外枠機構。
【請求項１０】
表示部の周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接可能な上側部材及び下側部材、前記表示部の幅方向にスライド可能に前記上側部材及び下側部材に連結可能であり前記第１及び第２側縁のそれぞれに固定可能な第１及び第２側部材、を含み、
前記上側部材は、前記上縁に当接して弾性変形可能な支持部を２つ有し、
前記下側部材は、前記下縁に当接して弾性変形可能な支持部を２つ有し、
前記下側部材の前記支持部は、前記上側部材の前記支持部よりも変形しにくい、表示部の外枠機構。
【請求項１１】
表示部の周縁を覆い前記表示部に取り付けられた取付部材と、
前記取付部材を介して前記周縁を覆い前記取付部材に係合した外枠と、を備え、
前記周縁は、上縁、下縁、及び前記表示部の幅を画定する第１及び第２側縁、を含み、
前記取付部材は、前記上縁及び下縁にそれぞれ当接可能な上側部材及び下側部材、前記表示部の幅方向にスライド可能に前記上側部材及び下側部材に連結可能であり前記第１及び第２側縁のそれぞれに固定可能な第１及び第２側部材、を含み、
前記第１側部材は、ネジにより前記表示部に固定され、
前記外枠は、前記ネジのネジ頭に向けて突出し前記ネジ頭に対向又は当接した突部を含む、表示部の外枠機構。
【請求項１２】
上縁、下縁、及び幅を画定する第１及び第２側縁、を含む表示部の前記上縁及び下縁にそれぞれ当接可能な上側部材及び下側部材と、
前記表示部の幅方向にスライド可能に前記上側部材及び下側部材に連結可能であり前記第１及び第２側縁のそれぞれに固定可能な第１及び第２側部材と、を備え、
前記第１側部材には、ガイド突起が形成され、
前記上側部材には、前記表示部の幅方向に延びたガイド溝が形成され、
前記ガイド溝は、当該ガイド溝が延びた方向に並んだ幅広部及び幅狭部を含み、
前記ガイド突起は、前記幅広部から挿入され、前記幅狭部からの離脱が規制され、
前記ガイド突起が前記ガイド溝の前記幅狭部内でスライドすることにより、前記第１側部材は前記上側部材に対してスライドする、表示部の取付部材。
【請求項１３】
上縁、下縁、及び幅を画定する第１及び第２側縁、を含む表示部の前記上縁及び下縁にそれぞれ当接可能な上側部材及び下側部材と、
前記表示部の幅方向にスライド可能に前記上側部材及び下側部材に連結可能であり前記第１及び第２側縁のそれぞれに固定可能な第１及び第２側部材と、を備え、
前記上側部材は、前記上縁に当接する弾性変形可能な支持部を２つ有し、
前記下側部材は、前記下縁に当接する弾性変形可能な支持部を２つ有し、
前記下側部材の前記支持部は、前記上側部材の前記支持部よりも変形しにくい、表示部の取付部材。
【発明の詳細な説明】
【技術分野】
【０００１】
本発明は、表示装置、表示部の外枠機構、及び表示部の取付部材に関する。
【背景技術】
【０００２】
画像を表示可能な表示部と、表示部に取付けられた取付部材と、取付部材を介して表示部の周縁を覆う外枠と、を備えた表示装置がある。取付部材を介さずに外枠を表示部に直接取付けると、表示部の寸法公差や外枠の成形の精度等により、外枠が歪んだ状態で表示部に取付けられるおそれがある。そこで、表示部の寸法公差を吸収するように表示部に対する位置を微調整して取付可能な取付部材を表示部に取り付け、その取付部材を介して表示部に外枠を取付ける場合がある。このような取付部材には外枠と係合する係合部が設けられおり、係合部に外枠が係合することにより外枠の歪みが矯正される。
【先行技術文献】
【特許文献】
【０００３】
【特許文献１】特開２００１−６７０００号公報
【特許文献２】特開２００７−３２８６１３号公報
【特許文献３】特開平１１−１９０９７４号公報
【発明の概要】
【発明が解決しようとする課題】
【０００４】
表示部の画面のサイズが同じ場合であっても、表示部の外形寸法は表示部の製造メーカや表示部の種類によって異なっている。特に、表示部の幅寸法が大きく異なっている場合がある。このような外形寸法が異なる表示部毎に対応した取付部材や外枠を製造すると、製造コストが増加する。
【０００５】
本発明は、外形寸法が異なる表示部に対しても共通に使用できる表示装置、表示部の外枠機構、及び表示部の取付部材を提供することを目的とする。
【課題を解決するための手段】
【０００６】
本明細書に開示の表示装置は、周縁を有した表示部と、前記周縁を覆い前記表示部に取り付けられた取付部材と、前記取付部材を介して前記周縁を覆い前記取付部材に係合した外枠と、を備え、前記周縁は、上縁、下縁、及び前記表示部の幅を画定する第１及び第２側縁、を含み、前記取付部材は、前記上縁及び下縁にそれぞれ当接する上側部材及び下側部材、前記表示部の幅方向にスライド可能に前記上側部材及び下側部材に連結され前記第１及び第２側縁のそれぞれに固定された第１及び第２側部材、を含む。
【０００７】
本明細書に開示の表示部の外枠機構は、表示部の周縁を覆い前記表示部に取り付けられた取付部材と、前記取付部材を介して前記周縁を覆い前記取付部材に係合した外枠と、を備え、前記表示部の前記周縁は、上縁、下縁、及び前記表示部の幅を画定する第１及び第２側縁、を含み、前記取付部材は、前記上縁及び下縁にそれぞれ当接可能な上側部材及び下側部材、前記表示部の幅方向にスライド可能に前記上側部材及び下側部材に連結可能であり前記第１及び第２側縁のそれぞれに固定可能な第１及び第２側部材、を含む。
【０００８】
本明細書に開示の表示部の取付部材は、上縁、下縁、及び幅を画定する第１及び第２側縁、を含む表示部の前記上縁及び下縁にそれぞれ当接可能な上側部材及び下側部材と、前記表示部の幅方向にスライド可能に前記上側部材及び下側部材に連結可能であり前記第１及び第２側縁のそれぞれに固定可能な第１及び第２側部材と、を備えている。
【発明の効果】
【０００９】
外形寸法が異なる表示部に対しても共通に使用できる表示装置、表示部の外枠機構、及び表示部の取付部材を提供できる。
【図面の簡単な説明】
【００１０】
【図１】図１Ａ、１Ｂは、本実施例の表示装置の説明図である。
【図２】図２は、背面板を取外した状態の表示ユニットの背面図である。
【図３】図３は、表示ユニットの分解斜視図である。
【図４】図４は、取付部材の説明図である。
【図５】図５は、取付部材Ａの説明図である。
【図６】図６Ａ、６Ｂは、下側部材の説明図である。
【図７】図７Ａは、外枠を背面図であり、図７Ｂは、図７ＡのＡ−Ａ断面図の拡大図である。
【図８】図８は、図７ＡのＢ−Ｂ断面図である。
【図９】図９Ａは、図２の円Ｃ１で囲った部分の拡大図であり、図９Ｂは、図２の円Ｃ２で囲った部分の拡大図である。
【図１０】図１０Ａは、図５に示した側部材と上側部材との連結部分の拡大図であり、図１０Ｂは、側部材の下部側の拡大図である。
【図１１】図１１Ａ、１１Ｂは、上側部材に対する側部材のスライドの説明図である。
【図１２】図１２Ａ、１２Ｂは、上側部材に対する側部材のスライドの説明図である。
【図１３】図１３Ａは、側部材が最も外側にスライドした状態での係合部の係合状態を示した図であり、図１３Ｂは、側部材が最も内側にスライドした状態での係合部の係合状態を示した図である。
【図１４】図１４Ａ、１４Ｂは、それぞれ、上側部材の支持部、下側部材の支持部の斜視図である。
【図１５】図１５Ａ、１５Ｂは、それぞれ、上側部材の支持部周辺の断面図、下側部材の支持部周辺の断面図である。
【図１６】図１６Ａ、１６Ｂは、下側部材を外枠の下縁に係合させるときの説明図である。
【図１７】図１７は、外枠の下縁の係合部と下側部材の係合部とが係合した状態の断面図である。
【図１８】図１８Ａ、１８Ｂは、突部の説明図である。
【図１９】図１９は、外枠の変形例の説明図である。
【発明を実施するための形態】
【００１１】
本実施例の表示装置について説明する。図１Ａ、１Ｂは、本実施例の表示装置１の説明図である。表示装置１は、支持台３、支持台３に連結された本体部５、本体部５に支持された表示ユニット７を含む。表示装置１は、テレビであってもよいしコンピュータであってもよい。本体部５の正面側には、磁気ディスクを挿入可能な挿入口や、プラグを接続可能なポートが複数設けられている。表示ユニット７は、画像を表示可能な表示部本体（以下、表示部と称する）３０、表示部３０の正面側の外枠１０、外枠１０に連結された背面板２０、を含む。表示部３０は、正面側に画面ＤＳが設けられている。
【００１２】
図２は、背面板２０を取外した状態の表示ユニット７の背面図である。表示部３０の背面側には、取付部材Ａが配置されている。ケーブルＣは、表示部３０と本体部５とを電気的に接続する。取付部材Ａは、上側部材５０、下側部材７０、第１側部材（以下、側部材と略す）９０Ｌ、第２側部材（以下、側部材と略す）９０Ｒを含む。図３は、表示ユニット７の分解斜視図である。図３においては、表示部３０、下側部材７０を省略してある。表示部３０に取付部材Ａが取付けられ、取付部材Ａには外枠１０が取付けられる。換言すれば、取付部材Ａは上側部材５０を介して表示部３０に取付けられる。外枠１０は、取付部材Ａに係合して取付部材Ａに取付られる。外枠１０及び取付部材Ａは、表示部３０へ取付可能な外枠機構に相当する。
【００１３】
表示部３０の周縁は、上縁３５、下縁３７、側縁３９Ｌ、３９Ｒにより画定される。画面ＤＳは正面３２に設けられている。表示部３０は、略矩形状である。側縁３９Ｌ、３９Ｒは、表示部３０の幅を画定する。上縁３５、下縁３７は、表示部３０の高さを画定する。背面３１、正面３２は、表示部３０の厚み、換言すれば、表示部３０の奥行きを画定する。側縁３９Ｌには、２つのネジ穴３９ＬＨが形成されており、側縁３９Ｒにも同様にネジ穴が形成されている。このネジ穴は、側部材９０Ｌ、９０Ｒを表示部３０に固定する際に使用される。
【００１４】
表示部３０は、例えば薄型の表示部であり、画像の表示方式については問わない。例えば、表示部３０は、液晶ディスプレイ、LED(発光ダイオード)ディスプレイ、EL(Electro Luminescence)ディスプレイ、VFD(蛍光表示管)ディスプレイ、PDP(プラズマディスプレイパネル)ディスプレイ等のいずれであっても良い。
【００１５】
図２に例示するように、取付部材Ａは、表示部３０の背面３１の一部を覆うと共に表示部３０の周縁を覆う。上側部材５０、下側部材７０、側部材９０Ｌ、９０Ｒは、それぞれ、上縁３５、下縁３７、側縁３９Ｌ、３９Ｒを覆う。取付部材Ａは、金属製である。
【００１６】
外枠１０は、上縁１５、下縁１７、側縁１９Ｒ、１９Ｌを含む。上縁１５、下縁１７、側縁１９Ｒ、１９Ｌは、それぞれ上側部材５０、下側部材７０、側部材９０Ｒ、９０Ｌを覆う。外枠１０は、例えば合成樹脂により成形されている。外枠１０は、表示部３０に取付けられた取付部材Ａを介して表示部３０の周縁を覆う。
【００１７】
図４、５は、取付部材Ａの説明図である。図４、５において下側部材７０は省略してある。図４は、取付部材Ａを背面側から見た図であり、図５は、取付部材Ａを正面側から見た斜視図である。上側部材５０は、互いに略直交するように曲がった平板状の背面部５１、上縁部５２を含む。側部材９０Ｌは、互いに略直交するように曲がった平板状の背面部９１、側縁部９２を含む。背面部９１は、背面３１と対向する。上縁部５２、側部材９０Ｒの側縁部９２、側部材９０Ｌの側縁部９２は、それぞれ表示部３０の上縁３５、側縁３９Ｒ、３９Ｌと対向する。
【００１８】
側部材９０Ｒ、９０Ｌは、同一形状である。即ち、側部材９０Ｒ、９０Ｌは、上側部材５０に対して異なる向きで連結されているだけであり、同一の部材である。但し、側部材９０Ｒ、９０Ｌは同一形状に限定されず、異なる形状であってもよい。側部材９０Ｒ、９０Ｌは、ネジにより表示部３０に固定可能である。また、側部材９０Ｒは、長手方向での長さの中心を通過し長手方向に直交する線分に対して対称である。側部材９０Ｒと側部材９０Ｌとを取り替えて上側部材５０に連結して取付部材Ａを表示部３０に取付けることも可能である。
【００１９】
上縁部５２の縁には、幅方向ＷＤに並んだ複数の係合部５６が形成されている。係合部５６は、上側部材５０の外側に突出している。側部材９０Ｒの側縁部９２の縁には、高さ方向ＨＤに並んだ複数の係合部９６が形成されている。係合部９６は側部材９０Ｒの外側に突出している。係合部５６、９６は、詳しくは後述するが外枠１０の係合部と係合する。上側部材５０の長手方向の長さの中心には上側部材５０の外側に突出したガイド突起５４が形成されている。また、上縁部５２には２つの弾性変形可能な支持部５８が形成されている。詳しくは後述する。
【００２０】
側縁部９２の一端側に４種類のネジ止め用の穴Ｈが形成されており、同様に、側縁部９２の他端側にも４種類のネジ止め用の穴Ｈが形成されている。このように複数の穴Ｈが側部材９０Ｌに形成されている理由は、取付部材Ａが取付けられる表示部３０の種類によって、ネジ孔の位置が異なっているからである。側部材９０Ｌを表示部３０に取付ける際には、複数の穴Ｈの中から表示部３０のネジ穴３９ＬＨに対応する穴を介してネジをネジ穴３９ＬＨに挿入する。また、側部材９０Ｒの一端側にはガイド突起９３２、９５２、ストッパＳＰ１、ＳＰ３、ＳＰ５が形成され、側部材９０Ｒの他端側にはガイド突起９３２、９５２、ストッパＳＰ１、ＳＰ３、ＳＰ５が形成されている。詳しくは後述する。
【００２１】
図６Ａ、６Ｂは、下側部材７０の説明図である。下側部材７０は、背面部７１、背面部７１に略直交するように曲がった下縁部７２、下縁部７２に対して略直交するように曲がった正面部７１ａを有している。背面部７１、正面部７１ａ、下縁部７２はそれぞれ略平板状である。背面部７１、下縁部７２は、それぞれ、表示部３０の背面３１、下縁３７と対向する。正面部７１ａは、外枠１０の下縁１７の正面側の壁部に対向する。正面部７１ａには長手方向に並んだ複数の係合部７６が形成されている。下縁部７２には、２つの弾性変形可能な支持部７８が設けられている。また、背面部７１の両端部にはそれぞれ開口７３が設けられている。詳しくは後述する。
【００２２】
図７Ａは、外枠１０を背面図であり、図７Ｂは、図７ＡのＡ−Ａ断面図の拡大図である。上側部材５０の上縁部５２と対向する上縁１５の面、即ち上縁１５の内面には、長手方向に並んだ複数の突状の係合部１５６が形成されている。係合部１５６は、上側部材５０の係合部５６と係合する。これにより、上側部材５０に対して上縁１５が係合する。同様に、下縁１７の内面には、下側部材７０と係合する係合部が設けられている。また、上縁１５の内面には、長手方向に並んだ複数の突状のリブ部１５８が形成されている。リブ部１５８は、表示部３０に取付けられた上側部材５０の上縁部５２に当接する。リブ部１５８は、奥行方向ＤＤに延びている。
【００２３】
図７Ｂに示すように、上縁１５の内面には２つのガイド部１５４が形成されている。ガイド部１５４間には、上側部材５０のガイド突起５４が挿入される。これにより、上側部材５０に対する上縁１５の長手方向での位置が規定される。また、上縁１５の内面には、長手方向に複数の突状の係合部１５９が形成されている。係合部１５９は、背面板２０と係合する。これにより、外枠１０と背面板２０とが組み付けられる。
【００２４】
図８は、図７ＡのＢ−Ｂ断面図である。側部材９０Ｒの側縁部９２と対向する側縁１９Ｒの面、即ち側縁１９Ｒの内面には、長手方向に複数の突起状の係合部１９６が形成されている。係合部１９６は、側部材９０Ｒの係合部９６と係合する。これにより、側部材９０Ｒに対して側縁１９Ｒが係合する。また、側縁１９Ｒの内面には、長手方向に複数の突状の係合部１９９が形成されている。係合部１９９は、背面板２０と係合する。これにより、外枠１０と背面板２０とが組み付けられる。また、上縁１５の内面の上部には、２つのリブ状の突部Ｒ１、Ｒ２が形成されており、上縁１５の内面の下部には、２つの突部Ｒ３、Ｒ４が形成されている。突部Ｒ１〜Ｒ４は、それぞれ、奥行方向ＤＤに延びている。詳しくは後述する。尚、側縁１９Ｌの内面にも、側縁１９Ｒの内面と同様の構造が形成されている。
【００２５】
図９Ａは、図２の円Ｃ１で囲った部分の拡大図であり、側縁１９Ｒの係合部１９６と側部材９０Ｒの係合部９６との係合を示している。図９Ａは、背面側から見た図である。係合部９６が係合部１９６よりも表示装置１の正面側に位置している。外枠１０は合成樹脂製なので外枠１０の弾性力により係合部１９６と係合部９６とが当接した状態が維持される。尚、側縁１９Ｌも同様の構造により側部材９０Ｌと係合している。
【００２６】
図９Ｂは、図２の円Ｃ２で囲った部分の拡大図であり、上縁１５の係合部１５６と上側部材５０の係合部５６との係合を示している。同様に、係合部５６が係合部１５６よりも１の正面側に位置している。外枠１０は合成樹脂製なので外枠１０の弾性力により係合部１５６と係合部５６とが当接した状態が維持される。また、詳しくは後述するが下側部材７０も外枠１０の下縁１７と係合している。このように、金属製の取付部材Ａに合成樹脂製の外枠１０が係合して取付けられることにより、外枠１０の歪みが矯正される。
【００２７】
図１０Ａは、図５に示した側部材９０Ｒと上側部材５０との連結部分の拡大図である。上側部材５０には、幅方向ＷＤに延びた２つのガイド溝５３、５５が形成されている。ガイド溝５３は上側部材５０の上側、ガイド溝５５は上側部材５０の下側に形成されている。側部材９０Ｒには、ガイド溝５３に係合するガイド突起９３２が形成されている。ガイド突起９３２は、背面部５１の正面側から背面側に突出しガイド溝５３と係合している。ガイド突起９３２は、ガイド溝５３内を幅方向ＷＤにスライド可能である。ガイド溝５３は、幅の広い幅広部５３１と幅の狭い幅狭部５３２とを含む。幅広部５３１、幅狭部５３２は幅方向ＷＤに並んでいる。詳しくは後述するがガイド突起９３２は幅狭部５３２内で幅方向ＷＤにスライド可能である。上側部材５０に側部材９０Ｒを連結する際には、幅広部５３１からガイド突起９３２を挿入する。
【００２８】
ガイド溝５５は、幅の広い幅広部５５１と幅の狭い幅狭部５５２とを含む。幅広部５５１、幅狭部５５２は幅方向ＷＤに並んでいる。側部材９０Ｒには、幅広部５５１と係合する２つのガイド突起９５１と、幅狭部５５２と係合するガイド突起９５２とが形成されている。２つのガイド突起９５１は、幅広部５５１内を幅方向ＷＤにスライド可能である。主に、ガイド突起９３２とガイド溝５３との係合、ガイド突起９５１、９５２とガイド溝５５との係合により、上側部材５０に対して側部材９０Ｒの幅方向ＷＤのスライドが許容される。
【００２９】
また、側部材９０Ｒには、切欠きされて幅方向ＷＤに延びたストッパＳＰ１、ＳＰ３が設けられている。ストッパＳＰ１、ＳＰ３は、上側部材５０の背面部５１に向けて斜めに延びている。上側部材５０の背面部５１には側部材９０Ｒの背面部９１に向けて突出したストッパＳＰ２が設けられている。側部材９０Ｒの幅方向ＷＤのスライドによってストッパＳＰ１の先端はストッパＳＰ２と当接する。同様に、背面部５１には、ストッパＳＰ３が係合する溝５７が形成されている。溝５７は、幅方向ＷＤに延びている。側部材９０Ｒの上側部材５０に対するスライドによって、ストッパＳＰ３の先端が溝５７の縁に当接する。これにより、上側部材５０の中心に向けての側部材９０Ｒのスライドが許容される位置が規定される。
【００３０】
側部材９０Ｒには、背面部５１に向けて突出したストッパＳＰ５が形成されている。図１０Ａでは示されていないが、背面部５１には背面部９１に向けて突出したストッパＳＰ６が設けられている。ストッパＳＰ６は、ストッパＳＰ５よりも背面部５１の側端部側に設けられている。ストッパＳＰ６、ＳＰ５が当接することにより、上側部材５０から離れる方向での側部材９０Ｒのスライドが許容される位置が規定される。尚、ガイド突起９３２と幅狭部５３２の端部との当接、ガイド突起９５２と幅狭部５５２の端部との当接、ガイド突起９５１と幅広部５５１との当接などによっても、上側部材５０に対する側部材９０Ｒのスライド範囲が規定される。尚、上記の構造は、上側部材５０と側部材９０Ｒとを幅方向ＷＤへスライド可能に連結するための構造の一例であり、上記以外の構造により上側部材５０と側部材９０Ｒとを幅方向ＷＤへスライド可能に連結する構造であっても良い。
【００３１】
尚、これらストッパやガイド溝は、高さ方向ＨＤにも若干の遊びが設定されている。この遊びにより、上側部材５０に対する側部材９０Ｒの幅方向ＷＤへのスライドを容易にし、表示部３０の高さ方向ＨＤでの寸法公差を吸収できる。
【００３２】
図１０Ｂは、側部材９０Ｒの下部側の拡大図である。側部材９０Ｒの下部側にも同様の構造が形成されている。側部材９０Ｒの下部側のガイド突起９３２は、図６Ａ、６Ｂに示した下側部材７０の開口７３に係合することにより、側部材９０Ｒと下側部材７０とが連結される。
【００３３】
次に、上側部材５０に対する側部材９０Ｒのスライドについて説明する。図１１Ａ、１１Ｂ、１２Ａ、１２Ｂは、上側部材５０に対する側部材９０Ｒのスライドの説明図である。図１１Ａ、１１Ｂは、取付部材Ａを正面側から見た上側部材５０と側部材９０Ｒとの連結部分の拡大図であり、図１２Ａ、１２Ｂは、取付部材Ａを背面側から見た上側部材５０と側部材９０Ｒとの連結部分の拡大図である。図１１Ａ、１２Ａは同じ状態を示しており、図１１Ｂ、１２Ｂは同じ状態を示している。図１１Ａ、１２Ａは、側部材９０Ｒがスライド範囲の上側部材５０の最も中心側に位置しているときの状態を示している。図１１Ｂ、１２Ｂは、側部材９０Ｒがスライド範囲の最も上側部材５０から離れた位置にあるときの状態を示している。図１０Ａに示した状態は、図１１Ｂ、１２Ｂに示した状態と同じである。
【００３４】
図１２Ａ、１２Ｂに示すように、ガイド突起９３２、９５２の高さ方向ＨＤのそれぞれの長さは、幅狭部５３２、５５２のそれぞれの幅よりも長い。ガイド突起９３２、９５２がそれぞれ、幅狭部５３２、５５２から離脱しないようにするためである。
【００３５】
図１１Ａに示すように、ストッパＳＰ１、ＳＰ３の先端は、それぞれストッパＳＰ２、溝５７に当接している。これにより、側部材９０Ｒのスライド範囲の一端が規定される。この状態から側部材９０Ｒを上側部材５０に対して離れるようにスライドさせると、図１１Ａ、１２Ａに示すように、ガイド溝５３の幅狭部５３２によりガイド突起９３２のスライドが案内され、幅広部５５１によりガイド突起９５１のスライドが案内される。更に、幅狭部５５２によりガイド突起９５２のスライドが案内される。これにより、側部材９０Ｒは幅方向ＷＤにスライドが案内される。
【００３６】
図１１Ｂ、１２Ｂに示した状態では、側部材９０ＲのストッパＳＰ５が上側部材５０のストッパＳＰ６に当接している。また、２つのガイド突起９５１はガイド溝５５の幅広部５５１の縁に当接している。これにより側部材９０Ｒのスライド範囲の他端が規定される。このようにして、上側部材５０に対する幅方向ＷＤへの側部材９０Ｒのスライドが規定される。同様に、側部材９０Ｌも上側部材５０に対して幅方向ＷＤへスライドが可能である。尚、下側部材７０と側部材９０Ｌ、９０Ｒとは、下側部材７０の両端部に形成された開口７３に、それぞれ側部材９０Ｌ、９０Ｒの下部側に形成されたガイド突起９３２が係合することにより連結される。開口７３とガイド突起９３２との係合は、側部材９０Ｌ、９０Ｒの幅方向ＷＤへのスライドを許容する。
【００３７】
このように側部材９０Ｌ、９０Ｒが幅方向ＷＤへスライドすることにより、幅寸法が異なる多種の表示部にも取付可能となる。表示部は画面のサイズが同一であっても、表示方式の種類や製造メーカによって外形寸法が異なる。特に、幅寸法が大きく異なる。また、同一の表示部であっても、寸法公差により幅寸法が異なっている場合がある。このような場合であっても、側部材９０Ｌ、９０Ｒが上側部材５０に対してスライド可能に連結されるので、表示部の幅寸法に対応して側部材９０Ｌ、９０Ｒを表示部に固定することができる。これにより、外形寸法が異なる表示部に対し取付部材Ａ及び外枠１０を共通化して使用できる。従って、外形寸法が異なる表示部毎に個別に取付部材Ａ及び外枠１０を製造する必要がないため、製造コストの増大を防止できる。また、側部材９０Ｌ、９０Ｒのスライド可能範囲内での位置によらずに、外枠１０は側部材９０Ｌ、９０Ｒと係合する。以下にその構成について説明する。
【００３８】
図１３Ａは、側部材９０Ｒが最も外側にスライドした状態での係合部９６と係合部１９６との係合状態を示した図である。図１３Ｂは、側部材９０Ｒが最も内側にスライドした状態での係合部９６と係合部１９６との係合状態を示した図である。係合部９６、係合部１９６の突出量が、側部材９０Ｒのスライド可能範囲内での位置の変化によらずに常に係合するように設定されている。これにより、上側部材５０に対する側部材９０Ｒのスライド範囲内での位置によらずに、側部材９０Ｒに外枠１０の側縁１９Ｒを係合させることができる。側部材９０Ｌについても同様である。また、上側部材５０のみならず下側部材７０に対しても側部材９０Ｒ、９０Ｌはスライド可能に連結される。このため、側部材９０Ｒ、９０Ｌの係合部９６は、上側部材５０、下側部材７０に対する側部材９０Ｒ，９０Ｌのスライド位置によらずに外枠１０の係合部１９６と係合している。尚、前述したように、側部材９０Ｌ、９０Ｒ自体は、表示部３０にネジにより固定される。詳しくは後述する。
【００３９】
次に、上側部材５０の支持部５８、下側部材７０の支持部７８について説明する。図１４Ａ、１４Ｂは、それぞれ、上側部材５０の支持部５８、下側部材７０の支持部７８の斜視図である。図１５Ａ、１５Ｂは、それぞれ、上側部材５０の支持部５８周辺の断面図、下側部材７０の支持部７８周辺の断面図である。いずれの図も、取付部材Ａを表示部３０に取付けた状態を示している。支持部５８は上縁部５２を部分的に切欠いて形成されている。支持部５８は、表示部３０の上縁３５側に向けて斜めに延びている。支持部５８は、根元部で上下に弾性変形可能である。取付部材Ａが表示部３０に組み付けられた状態では、支持部５８は表示部３０の上縁３５に当接して表示部３０を高さ方向ＨＤの下方に付勢する。支持部７８も同様に、表示部３０の下縁３７に当接して表示部３０を上方に付勢している。この際、上側部材５０の上縁部５２は表示部３０の上縁３５には当接せず、下側部材７０の下縁部７２は表示部３０の下縁３７には当接していない。
【００４０】
このようにして、表示部３０は、上側部材５０の支持部５８と下側部材７０の支持部７８とにより高さ方向での位置が規定されている。図５に示したように、支持部５８は２つ設けられている。前述したように、側部材９０Ｌ、９０Ｒは、上側部材５０に対して幅方向ＷＤへスライド可能であると共に、若干高さ方向ＨＤへもスライド可能である。このため、取付部材Ａを表示部３０に組み付けた際に、表示部３０の上縁３５に対して上側部材５０が斜めになることが考えられる。しかしながら、側部材９０Ｌ、９０Ｒ、上側部材５０を表示部３０に組み付けた際には、支持部５８が表示部３０を付勢する。これにより、表示部３０の上縁３５に対する上側部材５０自身の傾きが矯正される。
【００４１】
支持部７８は支持部５８よりも短い。これにより、支持部７８は支持部５８よりも変形しにくい。支持部７８は、表示部３０の重量を支えなければならないからである。支持部７８が潰れて表示部３０の下縁３７が下側部材７０の下縁部７２に接触すると、表示部３０の高さ方向ＨＤでの位置が所望の位置からずれてしまうからである。また、支持部５８、７８は、弾性変形するため、表示部３０の高さ方向ＨＤでの寸法公差を吸収して、支持部５８、７８により表示部３０を支持することができる。尚、支持部５８、７８のそれぞれの厚み又は材質を変えることにより、支持部７８を支持部５８よりも変形しにくくしてもよい。
【００４２】
尚、図１４Ａに示すように、支持部５８の先端部５９は、表示部３０の上縁３５から離れるように折り曲げられている。上側部材５０を表示部３０に取付ける際に、支持部５８の先端部５９が表示部３０と干渉しないようにするためである。同様に、図１４Ｂに示すように、支持部７８の先端部７９ａも表示部３０の下縁３７から離れるように折り曲げられている。
【００４３】
ここで、外枠１０、表示部３０、取付部材Ａの取付手順について説明する。まず、図３に示すように、上側部材５０に側部材９０Ｌ、９０Ｒを連結させる。連結した上側部材５０、側部材９０Ｌ、９０Ｒを、表示部３０の背面３１側から取付ける。具体的には、側部材９０Ｌ、９０Ｒを、それぞれネジにより表示部３０の側縁３９Ｌ、３９Ｒに固定する。上側部材５０、側部材９０Ｌ、９０Ｒが取付けられた表示部３０を、外枠１０に係合させる。具体的には、上側部材５０のガイド突起５４を外枠１０の上縁１５のガイド部１５４間に挿入して上側部材５０の係合部５６と上縁１５の係合部１５６とを係合させ、側部材９０Ｌ、９０Ｒの係合部９６と、側縁１９Ｌ、１９Ｒの係合部１９６とを係合させる。その状態で、側部材９０Ｌ、９０Ｒの下部側に設けられたガイド突起９３２に下側部材７０の２つの開口７３にそれぞれ挿入して、表示部３０の下縁３７と外枠１０の下縁１７との間に下側部材７０を配置する。その状態で下側部材７０を幅方向ＷＤに沿うようにスライドさせて、下側部材７０と外枠１０の下縁１７とを係合させる。このようにして、取付部材Ａが表示部３０に取付けられ、外枠１０が取付部材Ａに取付けられる。次に、外枠１０に背面板２０を取付ける。
【００４４】
図１６Ａ、１６Ｂは、下側部材７０を外枠１０の下縁１７に係合させるときの説明図である。図１６Ａ、１６Ｂにおいては、下側部材７０の正面部７１ａを長手方向に延びた平面で切断した図である。外枠１０の下縁１７の正面壁部１７ａには幅方向ＷＤに複数の係合部１７６、複数の係合部１７９が並んでいる。正面壁部１７ａは、下縁１７と略直交した面であり、外枠１０の正面側の下側の縁に相当する。
【００４５】
図６Ａ、６Ｂに例示したように、正面部７１ａには、長手方向に複数の係合部７６、７９が形成されている。上側部材５０、側部材９０Ｒ、９０Ｌが取付けられた表示部３０に外枠１０を係合させた状態で、下側部材７０を側部材９０Ｒ、９０Ｌに連結して外枠１０の下縁１７と表示部３０の下縁３７との間に配置する。図１６Ａは、下縁１７と下縁３７との間に下側部材７０が配置された状態を示している。その状態で、図１６Ｂに示すように下側部材７０を幅方向ＷＤへスライドさせて、係合部１７９と係合部７９とを係合させ係合部１７６と係合部７６とを係合させる。これにより、下側部材７０が外枠１０の下縁１７に係合する。
【００４６】
係合部７６は、正面部７１ａを部分的に折り曲げられて形成されている。また、係合部１７６はリブ状である。係合部７９は、下縁１７の奥行方向に突出している。係合部１７９付近には孔ＯＰが形成されている。係合部１７９は、係合部７９を収納するような形状である。
【００４７】
図１７は、外枠１０の下縁１７の係合部１７９と下側部材７０の係合部７９とが係合した状態での断面図である。係合部７９は奥行方向ＤＤに突出しており金属製であり、外枠１０は合成樹脂製である。このため、外枠１０の下縁１７が反りや歪みがある場合であっても、係合部１７９と係合部７９とが係合することにより、下縁１７の反りや歪みが矯正される。また、長期的な使用による下縁１７の反りや歪みも防止できる。
【００４８】
次に、外枠１０の側縁１９Ｒに設けられている突部Ｒ１、Ｒ２について説明する。図１８Ａ、１８Ｂは、突部Ｒ１、Ｒ２の説明図であり、突部Ｒ１、Ｒ２を模式的に示している。図１８Ａ、１８Ｂは、外枠１０を背面側から見た図である。図１８Ａは、表示部３０に側部材９０Ｒを取付けた状態を示しており、図１８Ｂは、表示部３０とは幅寸法が異なる表示部３０ａに側部材９０Ｒを取付けた状態を示している。図１８Ａ、１８Ｂにおいては、上側部材５０は省略してある。
【００４９】
突部Ｒ１、Ｒ２は、側縁１９Ｒから表示部３０の側縁３９Ｒ側に突出している。突部Ｒ１、Ｒ２は、側縁１９Ｒからの突出量が相違している。突部Ｒ１の突出量は、突部Ｒ２の突出量よりも大きい。表示部３０、３０ａは種類が異なっており、互いに幅寸法とネジ孔の位置とが異なっている。図５等に例示したように、側部材９０Ｒには、表示部３０、３０ａのそれぞれのネジ孔の位置に対応して複数の穴Ｈが形成されている。突部Ｒ１、Ｒ２の突出量は、それぞれ、ネジＳを含む表示部３０の幅寸法、ネジＳを含む表示部３０ａの幅寸法を考慮して設定されている。また、突部Ｒ１、Ｒ２の高さ方向ＨＤでの位置は、それぞれ、表示部３０に取付けられたネジＳの位置、表示部３０ａに取付けられたネジＳの位置に対応している。このように、突部Ｒ１、Ｒ２は、位置の異なるネジに対応するように互いに位置及び突出量が異なっている。これにより、図１８Ａに示すように、表示部３０に取付けられたネジＳのネジ頭は突部Ｒ１に当接する。また、図１８Ｂに示すように、表示部３０に取付けられたネジＳのネジ頭は突部Ｒ２に当接する。このように、突部Ｒ１、Ｒ２は、それぞれネジ頭に向けて突出している。
【００５０】
このように、ネジ頭が突部Ｒ１又は突部Ｒ２に当接することにより、外枠１０の側縁１９Ｒの反りや歪みが矯正される。尚、ネジＳのネジ頭と、突部Ｒ１又は突部Ｒ２とは、必ずしも当接している必要はなく対向していればよい。対向していれば、側縁１９Ｒが歪んだ際に突部Ｒ１又は突部Ｒ２がネジＳのネジ頭に当接し、側縁１９Ｒがそれ以上歪むことが防止できるからである。以上のように、幅寸法の異なる表示部３０、３０ａのいずれの表示部に対しても、幅寸法の違いを吸収して外枠１０を取付部材Ａに取り付けることができる。尚、図８等に示した、突部Ｒ３、Ｒ４の突出量は、それぞれ突部Ｒ２、Ｒ１の突出量と同じである。
【００５１】
次に、外枠１０の変形例について説明する。図１９は、外枠１０の変形例の外枠１０Ａの説明図である。外枠１０Ａの上縁１５には、複数の係合部１５６とそれぞれ対向した複数の係合部１５６ａが設けられている。外枠１０Ａの側縁１９Ｒには、複数の係合部１９６とそれぞれ対向した複数の係合部１９６ａが設けられている。側縁１９Ｌも側縁１９Ｒと同様の構造である。外枠１０Ａの奥行方向ＤＤの厚みは、外枠１０よりも厚い。
【００５２】
表示部３０の正面３２側に、タッチパネルが取付けられる場合がある。タッチパネルが取付けられた表示部３０は、タッチパネルが取付けられていない表示部３０よりも厚みが増す。このため、タッチパネルが取付けられた表示部３０に取り付けられる外枠は、タッチパネル分の厚みが増したものである必要がある。このため、外枠１０Ａの奥行方向ＤＤの厚みは、外枠１０よりも厚く形成されている。
【００５３】
また、表示部３０に取付けられた取付部材Ａに外枠を取付ける場合、タッチパネル分の厚みを考慮した位置で取付部材Ａと外枠とを係合させる必要がある。外枠１０Ａには、係合部１９６、１９６ａとの間で側部材９０Ｒ及び側部材９０Ｌの係合部９６とを挟むように保持し、係合部１５６と係合部１５６ａとの間で上側部材５０の係合部５６を挟むようにして保持する。これにより、タッチパネル分のスペースを確保した状態で表示部３０が外枠１０に取付けられる。尚、取付部材Ａは同一のものを用いることができる。
【００５４】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００５５】
１  表示装置
３  支持台
５  本体部
７  表示ユニット
１０、１０Ａ  外枠
１５  上縁
１７  下縁
１７ａ  正面壁部
１９Ｌ、１９Ｒ  側縁
２０  背面板
３０、３０ａ  表示部
３１  背面
３２  正面
３５  上縁
３７  下縁
３９Ｌ、３９Ｒ  側縁
３９ＬＨ  ネジ穴
５０  上側部材
５１、７１、９１  背面部
５２  上縁部
５３、５５  ガイド溝
５４、９３２、９５１、９５２  ガイド突起
５６、７６、７９、９６、１５６、１５６ａ、１５９、１７６、１７９、１９６、１９６ａ、１９９  係合部
５７  溝
５８、７８  支持部
７０  下側部材
７１ａ  正面部
７２  下縁部
７３  開口部
９０Ｌ、９０Ｒ  側部材
９２  側縁部
１５４  ガイド部
５３１、５５１  幅広部
５３２、５５２  幅狭部
Ａ  取付部材
ＳＰ１、ＳＰ２、ＳＰ３、ＳＰ５、ＳＰ６  ストッパ
ＤＤ  奥行方向
ＨＤ  高さ方向
ＷＤ  幅方向
ＤＳ  画面
【図１】
0005685948.tif 000002
【図２】
0005685948.tif 000003
【図３】
0005685948.tif 000004
【図４】
0005685948.tif 000005
【図５】
0005685948.tif 000006
【図６】
0005685948.tif 000007
【図７】
0005685948.tif 000008
【図８】
0005685948.tif 000009
【図９】
0005685948.tif 000010
【図１０】
0005685948.tif 000011
【図１１】
0005685948.tif 000012
【図１２】
0005685948.tif 000013
【図１３】
0005685948.tif 000014
【図１４】
0005685948.tif 000015
【図１５】
0005685948.tif 000016
【図１６】
0005685948.tif 000017
【図１７】
0005685948.tif 000018
【図１８】
0005685948.tif 000019
【図１９】
0005685948.tif 000020